(57)【特許請求の範囲】
【請求項１】
上端に送風口を有するアーチ型送風棚が設けられた熱風発生器ハウジング（２）と、前記熱風発生器ハウジング（２）のアーチ型送風棚から上方に向かって延びる支持配管と、前記支持配管上に固定された外カバーと、を有する衣類乾燥機の前記熱風発生器ハウジング（２）の下に配置される複数の支持足（１）を有する支持装置であって、
前記支持足（１）は、順次接続される第一部分（１１）、第二部分（１２）及び第三部分（１３）を含み、
前記第一部分（１１）は前記熱風発生器ハウジング（２）に接続されるとともに、その末端（１１c）が前記熱風発生器ハウジング（２）の底部にあり、
前記第二部分（１２）は、前記熱風発生器ハウジング（２）から次第に離れると共に、下方から上方且つ内方から外方へ、前記熱風発生器ハウジング（２）の外周の上空方向に所定の距離を延伸した後、曲がり下がって上方から下方且つ内方から外方へ前記熱風発生器ハウジング（２）の外周の地面方向に延伸してなり、
前記第三部分（13）は、末端が水平底面（１３ａ）を有し地面に立ち得る、
ことを特徴とする衣類乾燥機に用いられる支持装置。
【請求項２】
前記支持足（１）の各々は全体として曲線状を呈しており、前記第二部分（１２）は曲線の最高点を有する、
ことを特徴とする請求項１に記載の衣類乾燥機に用いられる支持装置。
【請求項３】
前記支持足（１）の前記第二部分（１２）は両側に分岐して２つの端部（１２ａ）を有しており、前記支持足（１）は、前記第二部分（１２）の前記端部（１２ａ）のそれぞれに接続される２つの第三部分（１３）を含む、
ことを特徴とする請求項１に記載の衣類乾燥機に用いられる支持装置。
【請求項４】
前記支持足（１）における前記第一部分（１１）の形状は前記熱風発生器ハウジング（２）の形状に合わせており、且つ、前記第一部分（１１）の上面は前記熱風発生器ハウジング（２）に密着して熱風発生器を持ち上げる、
ことを特徴とする請求項１〜３の何れか１項に記載の衣類乾燥機に用いられる支持装置。
【請求項５】
前記支持足（１）における前記第一部分（１１）の上面は、前記熱風発生器ハウジング（２）に接触する突起（１１ｂ）を有する、
ことを特徴とする請求項１〜３の何れか１項に記載の衣類乾燥機に用いられる支持装置。
【請求項６】
前記支持足（１）の各々における前記第一部分（１１）の末端にそれぞれ接続し前記複数の支持足（１）を一体に接続する接続部（５）を更に備える、
ことを特徴とする請求項１〜３の何れか１項に記載の衣類乾燥機に用いられる支持装置。
【請求項７】
上端に送風口を有するアーチ型送風棚が設けられた熱風発生器ハウジング（２）と、前記熱風発生器ハウジング（２）のアーチ型送風棚から上方に向かって延びる支持配管と、前記支持配管上に固定された外カバーと、を有する衣類乾燥機の前記熱風発生器ハウジング（２）の下方に配置される複数の支持足を有する支持装置であって、
前記支持足の各々は全体として曲線状を呈しており、順次接続される第一部分（１４）、第二部分（１５）及び第三部分（１６）を含み、
前記第一部分（１４）は、末端が前記熱風発生器ハウジング（２）に接続されており、
前記第二部分（１５）は、前記熱風発生器ハウジング（２）から次第に離れると共に、下方から上方且つ内方から外方へ、前記熱風発生器ハウジング（２）の外周の上空方向に所定の距離を延伸した後、曲がり下がって上方から下方且つ内方から外方へ前記熱風発生器ハウジング（２）の外周の地面方向に延伸してなり、
前記第三部分（１６）は、末端が水平底面（１６ａ）を有し地面に立ち得る、
ことを特徴とする衣類乾燥機に用いられる支持装置。
【請求項８】
前記第一部分（１４）の末端は、前記熱風発生器ハウジング（２）の形状に合わせる形状を有する密着部（１４ａ）を含み、前記密着部（１４ａ）の内面は前記熱風発生器ハウジング（２）に密着される
ことを特徴とする請求項７に記載の衣類乾燥機に用いられる支持装置。
【請求項９】
上端に送風口を有するアーチ型送風棚が設けられた熱風発生器ハウジング（２）と、前記熱風発生器ハウジング（２）のアーチ型送風棚から上方に向かって延びる支持配管と、前記支持配管上に固定された外カバーと、を有する衣類乾燥機に用いられ、表面が円滑である支持座（６）である支持装置であって、
前記支持座（６）は、一体に接続された、中央にある第一部分（６１）と、前記第一部分（６１）の外周にある第二部分（６２）と、前記支持座（６）の底部にある第三部分（６３）とを含み、
前記第一部分（６１）は断面がボウル状を呈し、熱風発生器ハウジング（２）を載せており、
前記第二部分（６２）の断面は、前記熱風発生器ハウジング（２）から次第に離れると共に、下方から上方且つ内方から外方へ、前記熱風発生器ハウジング（２）の外周の上空方向に所定の距離を延伸した後、曲がり下がって上方から下方且つ内方から外方へ前記熱風発生器ハウジング（２）の外周の地面方向に延伸しなる形状を有しており、
且つ、前記第三部分（６３）の底部端は水平に沿って地面に立ち得る、
ことを特徴とする衣類乾燥機に用いられる支持装置。
【請求項１０】
前記支持座（６）には、複数の貫通孔（６４）が対称的に設けられている、
ことを特徴とする請求項９に記載の衣類乾燥機に用いられる支持装置。
【発明の詳細な説明】
【技術分野】
【０００１】
本発明は棚式衣類乾燥機の技術分野に関し、特に棚式衣類乾燥機に用いられる支持装置に関する。
【背景技術】
【０００２】
棚式衣類乾燥機は、熱風によって衣類を乾燥させる家庭用電気器具であり、特に多雨の南方地方に適用でき、人々の生活を便利にさせるものである。本願の出願人の特許番号ＺＬ２００６２００１８９０６．７（公告番号：ＣＮ２８９５４９２Ｙ）の中国実用新案「棚式衣類乾燥機」には、このような衣類乾燥機が開示されている。当該棚式衣類乾燥機は、支持足と、支持足上に設けられた熱風発生器と、下支持配管と、下支持配管に接続された上支持配管とを備え、熱風発生器の上端にアーチ型送風棚が設けられており、下支持配管がアーチ型送風棚のナットに固定され、支持配管上に外カバーが固定されており、前記アーチ型送風棚の送風口には、周方向に沿ってシート状ガイドプレートが均一に設けられている。動作する際に、入風口から入った空気が熱風発生器によって加熱された後、アーチ型送風棚の送風口から送出され、上方に向かってカバー内に置かれる衣類へ吹くことで、最終的に衣類を乾燥させる目的を達する。
【０００３】
従来の棚式衣類乾燥機における支持足は、直棒型であるとともに斜めに設けられており、即ち斜め支持式直棒型支持足である。一般的には、３本の直棒を設けて衣類乾燥機の底部において三脚を形成する。これにより、熱風発生器を地面から懸架支持するとともに、熱風発生器、支持配管及びその上の衣類を支持する。
【０００４】
このような斜め支持式の直棒型支持足と衣類乾燥機の垂直方向との挟角は、直棒型支持足と地面との挟角と互いに制約し合う関係が存在する。
【０００５】
直棒型支持足と衣類乾燥機の垂直方向とが平行する傾向にある場合、直棒型支持足と地面との挟角は９０度になる傾向にある。このような傾向では、支持足が衣類乾燥機全体からの重力を分担するのに有利であるが、衣類乾燥機全体としての直立安定性に不利である。又、衣類乾燥機全体の直立を安定にするために、直棒支持足を延長する必要があるが、延長された直棒型支持足は製造コストを向上させる。そして、衣類乾燥機の衣類乾燥室も上げられて高すぎるようになり、ユーザが衣類をかけるのに不利である。一方、延長された直棒型支持足はまた直棒型支持足の抗折力を低下させるため、直棒型支持足に対する補強はコストアップを招来する。且つ、衣類乾燥機の重心が高すぎると、使用時に揺れやすく、衣類乾燥機の直立の安定性に不利となる。
【０００６】
直棒型支持足と衣類乾燥機の垂直方向との挟角が９０度になる傾向にある場合、直棒型支持足と地面とは互いに平行する傾向にある。このような傾向では、衣類乾燥機の重心位置が低くなるが、直棒型支持足の抗折力はさらに大きくならなければならない。直棒型支持足と熱風発生器との接続は、開く力の影響を受けて破壊されやすく、両者の接続の安全性には隠れた問題点が存在する。直棒型支持足の抗折力を高め、直棒型支持足と熱風発生器との接続安定度を補強する必要がある。したがって、直棒型支持足に対して、その材質が高く要求されるとともに、乾燥可能な衣類の重量も制限されている。
【０００７】
従来の斜め支持式直棒型支持足を有する衣類乾燥機は、直棒型支持足と地面との挟角が６０〜７０度の範囲内にあり、直棒型支持足の高さが４０〜５０ｃｍであり、熱風発生器の高さが２０〜３０ｃｍであり、衣類乾燥室の高さが９０〜１１０ｃｍであり、地面から物干用棒までの高さが１５０〜１９０ｃｍである。日常生活において、成人女性のワンピースなどのような丈の長い衣類は、一般的に１３０〜１５０ｃｍの寸法を有する。したがって、乾燥するときに畳んで干す必要があるため、衣類にシワが発生する。衣類乾燥室の高さを増やしてワンピースの高さ寸法に適応させようとすると、衣類乾燥機全体を安定的に直立させるように、熱風発生器下部の直棒型支持足の径間、及びその直棒型支持足の地面からの距離を増大させる必要となる。このようにすると、衣類をかける所の高さは１９０〜２３０ｃｍになる。普通の身長の大人にとって、外部の登り道具によらずに、このような高さを有する衣類乾燥室内で衣類をかける操作を行なうことは非常に不便である。したがって、斜め支持式直棒型支持足は、高い寸法を有する衣類乾燥室の配置に不利である。
【０００８】
上述の通り、従来の斜め支持式直棒型支持足について更に改善する必要がある。
【発明の概要】
【発明が解決しようとする課題】
【０００９】
本発明が解決しようとする技術課題は、従来技術の現状に対して棚式衣類乾燥機に用いられる支持装置を提供することである。これにより、衣類乾燥機の熱風発生器と地面との距離を低減させることにより、衣類乾燥機の重心を低くして衣類乾燥機の直立を更に安定にするだけではなく、寸法の高い衣類乾燥室の配置にも有利である。衣類乾燥室が高い寸法を有する場合においても、衣類をかける操作は非常に便利で、使いやすい。
【課題を解決するための手段】
【００１０】
本発明が上記技術課題を解決するために採用される技術案の１つとして、当該棚式衣類乾燥機に用いられる支持装置は、衣類乾燥機の熱風発生器ハウジングの下に配置される複数の支持足を有しており、支持足が、順次接続される第一部分、第二部分及び第三部分を含むことを特徴とする。
【００１１】
第一部分は熱風発生器ハウジングに接続されるとともに、その末端が熱風発生器ハウジングの底部にあり、第二部分は、熱風発生器ハウジングから次第に離れると共に、下方から上方且つ内方から外方へ、熱風発生器ハウジングの外周の上空方向に所定の距離を延伸した後、曲がり下がって上方から下方且つ内方から外方へ熱風発生器ハウジングの外周の地面方向に延伸してなり、第三部分は、末端が水平底面を有し地面に立ち得る。
【００１２】
支持足は各種形式を有することができ、好ましくは、各支持足は全体として曲線状を呈しており、第二部分は曲線の最高点を有する。即ち、第二部分はアーチ型を呈する。
【００１３】
支持足は非曲線状を有してもよい。即ち、前記第二部分は逆Ｖ字状を呈する。
【００１４】
更なる改善として、前記支持足における第一部分の形状は熱風発生器ハウジングの形状に合わせて、且つ、第一部分の上面は熱風発生器ハウジングに密着して熱風発生器を持ち上げることができる。即ち、第一部分は、抱き込む形で熱風発生器ハウジングに接続して、熱風発生器に対する第一部分の受ける面積を大きくすることにより、熱風発生器に対する支持足全体の支持力を高める。
【００１５】
好ましくは、前記支持足の第一部分の上面は、熱風発生器ハウジングに接触する突起を有する。このように、各支持足の突起は熱風発生器を押し上げる。
【００１６】
また、複数の支持足は予め一体に接続されてもよく、具体的には、各支持足の第一部分の末端にそれぞれ接続されて複数の支持足を一体に接続する接続部を更に含む。
【００１７】
第一部分を熱風発生器ハウジングとよりよく密着させるために、前記熱風発生器ハウジングの底部には、第一部分の形状に合わせる嵌め溝を有してもよく、第一部分の上面が当該嵌め溝内に嵌入する。
【００１８】
前記支持足の第一部分は、従来の各種方式によって熱風発生器ハウジングに接続されることができる。製品の製造加工を容易にするために、第一部分には貫通孔が開けられ、熱風発生器ハウジングの底部にはネジ穴を相応的に有しており、ネジは第一部分上の貫通孔を挿通して熱風発生器ハウジング上のネジ穴中にネジ接続されてもよい。この設計により、組立接続は容易になる。
【００１９】
更なる改善として、前記支持足の第二部分は両側に分枝して２つの端部を有しており、当該支持足は、それぞれ第二部分の端部に接続する２つの第三部分を含む。これにより、支持足の直立安定性を高める。
【００２０】
本発明が上記技術課題を解決するために採用される別の技術案として、当該棚式衣類乾燥機に用いられる支持装置は、衣類乾燥機の熱風発生器ハウジングの下方に配置される複数の支持足を含み、各支持足が全体として曲線状を呈しており、順次接続される第一部分、第二部分及び第三部分を含むことを特徴とする。
【００２１】
第一部分は、末端が熱風発生器ハウジングに接続され、第二部分は、熱風発生器ハウジングから次第に離れると共に、下方から上方且つ内方から外方へ、熱風発生器ハウジングの外周の上空方向に所定の距離を延伸し、そして、曲がり下がって上方から下方且つ内方から外方へ熱風発生器ハウジングの外周の地面方向に延伸してなり、第三部分は、末端が水平底面を有し地面に立ち得る。
【００２２】
熱風発生器に対する支持足の支持面積を増大させるために、好ましくは、前記第一部分の末端は、形状が熱風発生器ハウジングの形状に合わせる密着部を有しており、当該密着部の内面は熱風発生器ハウジングに密着する。
【００２３】
本発明が上記技術課題を解決するために採用される更なる別の技術案として、当該棚式衣類乾燥機に用いられる支持装置は、表面が円滑である支持座であり、一体に接続された、中央にある第一部分と、第一部分の外周にある第二部分と、支持座の底部にある第三部分とを含む。
【００２４】
第一部分は断面がボウル状を呈し、熱風発生器ハウジングを載せる。
【００２５】
第二部分の断面は、熱風発生器ハウジングから次第に離れると共に、下方から上方且つ内方から外方へ、熱風発生器ハウジングの外周の上空方向に所定の距離を延伸した後、曲がり下がって上方から下方且つ内方から外方へ熱風発生器ハウジングの外周の地面方向に延伸してなる形状を有する。
【００２６】
且つ、第三部分の底部端は水平に沿って地面に立ち得る。
【００２７】
前記支持座は各種形式を呈することができる。例えば、前記支持座は平面視で円形を呈するカバー体であってもよい。
【００２８】
また、例えば、前記支持座は、熱風発生器ハウジングを中心として対称的に設けられた複数の支えであってもよく、各支えは平面視で扇形を呈する。
【００２９】
更なる改善として、前記支持座には、複数の貫通孔が対称的に開けられてもよい。
【００３０】
更なる改善として、前記貫通孔は４群を含み、各群の貫通孔が、支持座の中心から外周に向かって順次設けられた内側貫通孔及び外側貫通孔を含む。これにより、当該支持座は、４本の支持足と、各支持足の第二部分を接続する第１接続リングと、各支持足の第三部分の底部端を接続する第２接続リングとで形成される。したがって、かかる構造をさらに対称で安定にさせる。
【発明の効果】
【００３１】
従来技術に比べて、本発明の利点は以下の通りである。
【００３２】
まず、弓形迂回支持足は、熱風発生器と地面との間の距離を最大限に低減させることにより、棚式衣類乾燥機全体の高さを低減することができ、未成年学生及び背の低い人の使用に適する。又は、棚式衣類乾燥機全体の高さを不変にしながら、衣類乾燥空間の高さを増大することにより、丈の長い若しくは体積の大きいオーバーコート、ワンピース、布団などの乾燥に有利となる。
【００３３】
次に、各弧段の弧度の増大に従って、棚式衣類乾燥機全体の重心が低くなり、且つ各支持足と地面の支持力が大きいほど、相応的に棚式衣類乾燥機の全体が安定となる。
【００３４】
さらに、支持足の隣り合う弧段間は逆方向の迂回形状を呈する。衣類乾燥に使用する時に、乾燥される衣類、熱風発生器、支持棒及びカバーの重量は、各支持足と熱風発生器との接続箇所を介して各支持足に伝達するとともに、各支持足が受ける圧力はまた力の平行四辺形法則に従って各弧段が受ける圧力に分解される。したがって、支持足の応力を低減させ、支持足に対する破壊の程度を軽減することができる。さらに、既知類型の支持足をもとに、材質に対する要求を低くし、生産コストを節約する。
【００３５】
上述の通り、本発明による支持足は、衣類乾燥機中の熱風発生器と地面との距離を縮小させることにより、衣類乾燥機の重心を低くさせ衣類乾燥機の直立を更に安定にするだけではなく、高い寸法の有する衣類乾燥室の配置にも有利である。衣類乾燥室が高い寸法を有する場合においても、衣類をかける操作は非常に便利で容易である。
【００３６】
また、本発明による支持足はさらに、柱式加湿器又は柱式アイロンに適用できる。
【図面の簡単な説明】
【００３７】
【図１】は本発明による実施例１を棚式衣類乾燥機に適用する構造模式図である。
【図２】は本発明による実施例１の立体分解図である。
【図３】は本発明による実施例２の構造模式図である。
【図４】は本発明による実施例３の構造模式図である。
【図５】は本発明による実施例４の構造模式図である。
【図６】は本発明による実施例５の構造模式図である。
【図７】は本発明による実施例６の構造模式図である。
【図８】は本発明による実施例７の構造模式図である。
【図９】図８の平面図である。
【図１０】本発明による実施例８の構造模式図である。
【図１１】図１０の平面図である。
【図１２】本発明による実施例９の構造模式図である。
【図１３】図１２の平面図である。
【発明を実施するための形態】
【００３８】
以下、図面と実施例を結合しながら、本発明をさらに詳しく説明する。
【００３９】
実施例１
【００４０】
図１、図２は本発明の好ましい一実施例を示す。
【００４１】
図１は、本実施例を熱風発生器ハウジング２が球形である棚式衣類乾燥機に適用する場合を示す。熱風発生器ハウジング２の下方に３本の支持足１１を均一に設けることにより、衣類乾燥機全体を地面に安定的に直立させる。
【００４２】
各支持足１は全体として曲線状を呈し、順次接続される第一部分１１、第二部分１２及び第三部分１３を含む。
【００４３】
第一部分１１の形状は熱風発生器ハウジング２の球形形状に合わせるとともに、所定の弧度を有する。しかも、前記熱風発生器ハウジング２の底部には、第一部分１１の形状に合わせる嵌め溝２１を有する。第一部分１１の上面が当該嵌め溝２１内に嵌入されることにより、第一部分１１の上面は熱風発生器ハウジング２に密着して熱風発生器を持ち上げる。第一部分１１の末端１１ｃは熱風発生器ハウジング２の底部中央に位置する。
【００４４】
同時に、第一部分１１には貫通孔１１ａが開けられ、熱風発生器ハウジング２の底部にはネジ穴２２を相応的に有する。ネジ３のネジ接続部は第一部分１１上の貫通孔１１ａを挿通して熱風発生器ハウジング２のネジ穴２２中にネジ接続される。これにより、第一部分１１と熱風発生器ハウジング２とを確実に接続される。
【００４５】
また、支持足の位置決めや固定を便利にするために、熱風発生器ハウジング２の底部中央には、第一部分１１末端１１ｃを挿入するための挿入部２３が設けられている。且つ、熱風発生器ハウジング２の底部中央にはカバー蓋４が被覆されている。カバー蓋４は、熱風発生器ハウジング２の下方に設けられた全ての支持足１の第一部分１１末端１１ｃを被覆することにより、固定作用を奏すると共に、熱風発生器ハウジング２の底部がよりきれいで美しく見えるようにされている。
【００４６】
第二部分１２はアーチ型を呈する。
【００４７】
第三部分１３末端は水平底面１３ａを有して地面に立ち得る。
【００４８】
ネジ３は支持足１と熱風発生器ハウジング２を固定した後、その末端がちょうど第三部分１３末端の水平底面と同一の水平面にある。当該ネジ３は支持足１を固定する作用を奏するだけではなく、支持足１とともに熱風発生器を支持する役割を果たす。
【００４９】
実施例２
【００５０】
図３は本発明による実施例２を示す。それと実施例１との相違点として、当該棚式衣類乾燥機に用いられる支持装置は接続部５を介して一体に接続されており、当該接続部５は円盤状を呈し、各支持足１中の第一部分１１の末端１１ｃにそれぞれ接続することにより、３本の支持足１を一体に接続する。
【００５１】
実施例３
【００５２】
図４は本発明による実施例３を示す。それと実施例１との相違点として、前記第二部分１２は両側に分枝して２つの端部１２ａを有するが、支持足は、それぞれ第二部分１２の端部１２ａに接続する２つの第三部分１３を含む。
【００５３】
実施例４
【００５４】
図５は本発明による実施例４を示す。それと実施例１との相違点として、本実施例においては、支持装置は４本の前記支持足１を備え、各支持足１の第一部分１１の上面には、熱風発生器ハウジング２に接触する突起１１ｂが有し、且つ、第一部分１１上の貫通孔１１ａはちょうど突起１１ｂの存在した位置にあり、これによって、ネジ３は当該貫通孔１１ａを通って突起１１ｂ全体を貫通する。
【００５５】
実施例５
【００５６】
図６は本発明による実施例５を示す。当該棚式衣類乾燥機に用いられる支持装置は全体として曲線状を呈し、順次接続される第一部分１４、第二部分１５及び第三部分１６を含む。
【００５７】
第一部分１４の末端は熱風発生器ハウジング２に接続され、第二部分１５はアーチ型を呈し、第三部分１６の末端は水平底面１６ａを有して地面に立ち得る。
【００５８】
且つ、前記第一部分１４の末端は、形状が熱風発生器ハウジング２の形状に合わせる密着部１４ａを有し、当該密着部１４ａの内面は熱風発生器ハウジング２に密着して接続する。
【００５９】
実施例６
【００６０】
図７は本発明による実施例６を示す。それと実施例１との相違点として、前記第二部分１２は逆Ｖ字状を呈する。
【００６１】
実施例７
【００６２】
図８、図９は本発明による実施例７を示す。当該棚式衣類乾燥機に用いられる支持装置は、表面が円滑である支持座６であり、当該支持座６は平面視で円形を呈するカバー体である。
【００６３】
当該支持座６は、中央にある第一部分６１と、第一部分６１の外周にある第二部分６２と、支持座６の底部にある第三部分６３とを一体に接続させてなる。
【００６４】
第一部分６１は断面がボウル状を呈し、熱風発生器ハウジング２を載せる。
【００６５】
第二部分６２の断面形状として、熱風発生器ハウジング２から次第に離れると共に、下方から上方且つ内方から外方へ、熱風発生器ハウジング２の外周の上空方向に所定の距離を延伸した後、曲がり下がって上方から下方且つ内方から外方へ熱風発生器ハウジング２の外周の地面方向に延伸する。
【００６６】
且つ、第三部分６３の底部端は水平に沿っており、地面に立ち得る。
【００６７】
実施例８
【００６８】
図１０、図１１は本発明による実施例８を示す。それと実施例７との相違点として、前記支持座６は、熱風発生器ハウジング２を中心として対称的に設けられた２つの支えである。
【００６９】
実施例９
【００７０】
図１２、図１３は本発明による実施例９を示す。それと実施例７との相違点として、前記支持座６のカバー体上には、複数の貫通孔６４が対称的に開けられている。本実施例において、前記貫通孔６４は４群を含み、各群の貫通孔が、支持座６の中心から外周に向かって順次設けられた内側貫通孔６４ａ及び外側貫通孔６４ｂを含む。これにより、当該支持座６は４本の支持足６ａと、各支持足６の第二部分６２を接続する第１接続リング６ｂと、各支持足６の第三部分６３の底部端を接続する第２接続リング６ｃとを形成する。
【図１】
0005643897.tif 000002
【図２】
0005643897.tif 000003
【図３】
0005643897.tif 000004
【図４】
0005643897.tif 000005
【図５】
0005643897.tif 000006
【図６】
0005643897.tif 000007
【図７】
0005643897.tif 000008
【図８】
0005643897.tif 000009
【図９】
0005643897.tif 000010
【図１０】
0005643897.tif 000011
【図１１】
0005643897.tif 000012
【図１２】
0005643897.tif 000013
【図１３】
0005643897.tif 000014